(57)【要約】      （修正有）【課題】キッチン内の各キッチン機器の情報を統合して各キッチン機器の状態を判断する無線インターネットによるキッチン機器の制御システムを提供する。【解決手段】インターネットデバイスとセットのキッチン機器の制御システムである。該システムは、各該キッチン機器の一側に設けられた状態信号生成手段２１と、各該キッチン機器の状態信号を受信してキッチン機器の制御信号を生成する処理モジュール２２と、各該キッチン機器の一側に設けられ、該キッチン機器の制御信号を受信して各該キッチン機器を駆動して対応の作動を生じることで、各該キッチン機器をリモート制御する目的を達成する制御信号作動モジュール２３とを含む。【選択図】図２
0003210535.tif 000002
【実用新案登録請求の範囲】
【請求項１】
インターネットデバイスとセットとなるキッチン機器の制御システムであり、
各前記キッチン機器の一側に設けられ、各前記キッチン機器の状態信号を生成するための状態信号生成手段と、
各前記キッチン機器の状態信号を受信してキッチン機器の制御信号を生成するための処理モジュールと、
各前記キッチン機器の一側に設けられ、前記キッチン機器の制御信号を受信して各前記キッチン機器を駆動して対応の作動を生じることで、各前記キッチン機器をリモート制御する目的を達成する制御信号作動モジュールと、
を含むことを特徴とする無線インターネットによるキッチン機器の制御システム。
【請求項２】
前記キッチン機器の状態信号は、照明の強弱と火力の大きさとを含むことを特徴とする請求項１に記載の無線インターネットによるキッチン機器の制御システム。
【請求項３】
前記制御信号は、照明の強弱の調整とキッチン機器の作動とキッチン機器のオフと火力の大きさの調整とを含むことを特徴とする請求項１又は２に記載の無線インターネットによるキッチン機器の制御システム。
【請求項４】
前記処理モジュールは、携帯電話、ウェブページ方式を通じて各前記キッチン機器の制御信号を調整することを特徴とする請求項１から３のいずれかに記載の無線インターネットによるキッチン機器の制御システム。
【請求項５】
無線インターネットによるキッチン機器の制御システムは、キッチン環境検知機能を更に含むことを特徴とする請求項１から４のいずれかに記載の無線インターネットによるキッチン機器の制御システム。
【請求項６】
前記処理モジュールは、信号受信手段と信号送信手段と処理手段とを更に包括することを特徴とする請求項１から５のいずれかに記載の無線インターネットによるキッチン機器の制御システム。
【請求項７】
前記信号受信手段は、前記インターネットデバイス及び各前記キッチン機器の状態信号を受信するために用いられることを特徴とする請求項６に記載の無線インターネットによるキッチン機器の制御システム。
【請求項８】
前記処理手段は、前記インターネットデバイスから伝送された設定値及び各前記キッチン機器の状態を判断して制御信号を生成するために用いられることを特徴とする請求項６に記載の無線インターネットによるキッチン機器の制御システム。
【請求項９】
前記制御信号は、前記信号送信手段を通じて各前記キッチン機器に伝送することを特徴とする請求項８に記載の無線インターネットによるキッチン機器の制御システム。
【考案の詳細な説明】
【技術分野】
【０００１】
本考案は、無線インターネットによるキッチン機器の制御システムに関し、特に、インターネットデバイスとセットで各該キッチン機器を制御する無線インターネットによるキッチン機器の制御システムに関する。
【背景技術】
【０００２】
現在スマートホームは、勢いよく発展している新興産業で、健康・安全、快適・便利、持続可能、在宅介護などを含んでスマートホームの応用分野である。キッチンは、家において極めて重要な地位を占め、家族と友達の距離を縮め、友好的な関係を結ぶと共に増進するところでもある。多くの研究機関及び業者は、キッチン回りをより一層スマート化、暮らし易さ、便利性、更に安全性の利点を持たせるようにと努力している。現在の先行特許及び市場上の大部分のキッチン機器、例えば、レンジフード、コンロ（ガスコンロ／電気セラミックコンロ／電磁調理器）、食洗機等は、いずれも機能の多様化及び性能の強大性等が強調され、キッチン機器により一層スマートとなったが暮らし易さには足りず、利用者が現場で使用できるだけで、且つキッチン機器間が各自独立して作動し、互いに関係がない。よって、研究機関は１対１で互いに連動或いはリモコンで短距離によるキッチン機器を制御できる幾つかのキッチン機器を開発してきた。
【０００３】
図１を参照すると、従来のスマートシステムキッチンを示す模式図であり、図に示すように、該スマートシステムキッチンは、レーザーダイオード１１１とフォトトランジスタ１１２と第１無線モジュール１１３とを備えたレンジフード１１と、センサー１２１と第２無線モジュール１２２とを備えたガスコンロ１２と、熱電対１３１と第３無線モジュール１３２とを備えた鍋１３と、第４無線モジュール１４１と表示器１４２とを備え、無線方式で該第１無線モジュール１１３、第２無線モジュール１２２及び第３無線モジュール１３２に接続でき、該表示器１４２が該鍋１３の温度を表示することで、該レンジフード１１の回転速度を制御でき、該鍋１３が熱すぎた時、ガスを遮断するか、又はガスコンロが傾斜した時ガスを遮断するかを判断する制御手段１４と、を含む。
【０００４】
しかしながら、該スマートシステムキッチンは、キッチン内の火元について制御を行い、該鍋の内部温度の検知を通じてレンジフード及びガス供給をオン又はオフにするだけで、キッチン内のその他の危険源及び環境を制御できない。
【考案の概要】
【考案が解決しようとする課題】
【０００５】
上記従来技術の欠点に鑑み、本考案の主要目的は、キッチン環境及び各該キッチン機器を制御及び調整する目的を達成するため、キッチン内の各該キッチン機器の情報を統合して各該キッチン機器の状態を判断する無線インターネットによるキッチン機器の制御システムを提供することである。
【０００６】
本考案の別の目的は、キッチンの安全性向上の目的を達成するため、キッチン環境及び各該キッチン機器の状態を検出する無線インターネットによるキッチン機器の制御システムを提供することである。
【課題を解決するための手段】
【０００７】
上記目的を達成するため、本考案は、無線インターネットによるキッチン機器の制御システムを提供し、該システムは、各該キッチン機器の一側に設けられ、各該キッチン機器の状態信号を生成するための状態信号生成手段と、各該キッチン機器の状態信号を受信してキッチン機器の制御信号を生成するための処理モジュールと、各該キッチン機器の一側に設けられ、該キッチン機器の制御信号を受信して各該キッチン機器を駆動して対応の作動を生じる制御信号作動モジュールと、を含み、これを介して各該キッチン機器をリモート制御する目的を達成する。
【図面の簡単な説明】
【０００８】
【図１】従来のスマートシステムキッチンを示す模式図である。
【図２】本考案に係る無線インターネットによるキッチン機器の制御システムを示す模式図である。
【図３】本考案に係る無線インターネットによるキッチン機器の制御システムの使用構成を示す模式図である。
【考案を実施するための形態】
【０００９】
以下、特定の具体的実例を介して本考案の実施形態を説明し、当業者は本明細書で開示している内容から、本考案のその他の利点及び効果を理解できる。
【００１０】
図２を参照すると、本考案に係る無線インターネットによるキッチン機器の制御システムを示す模式図で、図２に示すように、インターネットデバイスとセットとなるキッチン機器の制御システムで、該システムは状態信号生成手段２１と処理モジュール２２と制御信号作動モジュール２３とを含む。該状態信号生成手段２１は、各該キッチン機器の一側に設けられ、該キッチンにおける照明の強弱及び火力の大きさを検出して各該キッチン機器の状態信号を生成する。該処理モジュール２２は、信号受信手段２２１と信号送信手段２２２と処理手段２２３とを更に包括し、該信号受信手段２２１が該インターネットデバイス及び各該キッチン機器の状態信号を受信するために用いられ、該処理手段２２３が該インターネットデバイスから伝送された設定値及び各該キッチン機器の状態を判断して照明の強弱の調整、キッチン機器の作動、キッチン機器のオフ及び火力の大きさの調整を行うためのキッチン制御信号を生成するために用いられる。制御信号が該信号送信手段２２２を通じて各該キッチン機器に伝送する。該制御信号作動モジュール２３は、各該キッチン機器の一側に設けられ、該キッチン機器の制御信号を受信して各該キッチン機器を駆動して対応の作動を生じる。該処理モジュール２２は、携帯電話、ウェブページ方式を通じて各該キッチン機器の制御信号を調整することで、各該キッチン機器のリモート制御及びキッチン環境検知の目的を達成する。
【００１１】
図３を参照すると、本考案に係る無線インターネットによるキッチン機器の制御システム使用構成を示す模式図である。図３に示すように、利用者は、制御装置３１（例：携帯電話ＡＰＰ、ウェブページブラウザ）を通じてキッチン機器３２の関連制御（例：ガスコンロ、空調、環境感知）を行う時、該設定信号が制御装置３１を通じて該設定値（例：キッチン機器のオンオフ、照明の調整、温度の調整）を該制御装置３１で設定し、該設定値がクラウドのプロセッサ３３によって処理し、該設定値と該キッチン機器上のセンサー３４から伝送されたキッチン機器の状態値はプロセッサ３３を通じて処理演算を行った後、各該キッチン機器３２の作動を駆動する制御信号を生成し、そして該制御信号を各該キッチン機器３２に伝送して各該キッチン機器３２を駆動して対応する動作を起こす。
【００１２】
以上に述べた実施例は、あくまでも本考案の特徴及び効果を明らかにするものであって、本考案の実質的技術内容の範囲を限定することではない。当業者は均しく本発明の精神及び範疇から外れることなく上記実施例を修飾と変化できる。よって、本発明の権利保護範囲は、後記の実用新案登録請求の範囲内に記載されている通りとする。
【符号の説明】
【００１３】
１１      レンジフード
１２      ガスコンロ
１３      鍋
１４      制御手段
２１      状態信号生成手段
２２      処理モジュール
２３      制御信号作動モジュール
３１      制御装置
３２      キッチン機器
３３      プロセッサ
１１１      レーザーダイオード
１１２      フォトトランジスタ
１１３      第１無線モジュール
１２１      センサー
１２２      第２無線モジュール
１３１      熱電対
１３２      第３無線モジュール
１４１      第４無線モジュール
１４２      表示器
２２１      信号受信手段
２２２      信号送信手段
２２３      処理手段
【図１】
0003210535.tif 000003
【図２】
0003210535.tif 000004
【図３】
0003210535.tif 000005
【手続補正書】
【提出日】平成29年3月16日(2017.3.16)
【手続補正１】
【補正対象書類名】実用新案登録請求の範囲
【補正対象項目名】全文
【補正方法】変更
【補正の内容】
【実用新案登録請求の範囲】
【請求項１】
インターネットデバイスとセットとなるキッチン機器の制御システムであり、
各前記キッチン機器の一側に設けられ、キッチンにおける照明の強弱と火力の大きさとを含む各前記キッチン機器の状態信号を生成するための状態信号生成手段と、
各前記キッチン機器の状態信号を受信して、各前記キッチン機器の状態信号に基づき各前記キッチン機器の状態を判断して、キッチンにおける照明の強弱の調整とキッチン機器の作動とキッチン機器のオフと火力の大きさの調整とを含むキッチン機器の制御信号を生成するための処理モジュールと、
各前記キッチン機器の一側に設けられ、各前記キッチン機器の制御信号を受信して、各前記キッチン機器の制御信号に基づき各前記キッチン機器を駆動して対応の作動を生じさせることで、各前記キッチン機器をリモート制御する制御信号作動モジュールと、
を含むことを特徴とする無線インターネットによるキッチン機器の制御システム。
【請求項２】
前記処理モジュールは、携帯電話、又はウェブページ方式を通じて各前記キッチン機器の制御信号を調整することを特徴とする請求項１に記載の無線インターネットによるキッチン機器の制御システム。
【請求項３】
無線インターネットによるキッチン機器の制御システムは、キッチン環境検知機能を更に含むことを特徴とする請求項１から２のいずれかに記載の無線インターネットによるキッチン機器の制御システム。
【請求項４】
前記処理モジュールは、信号受信手段と信号送信手段と処理手段とを更に包括することを特徴とする請求項１から３のいずれかに記載の無線インターネットによるキッチン機器の制御システム。
【請求項５】
前記信号受信手段は、前記インターネットデバイス及び各前記キッチン機器の状態信号を受信するために用いられることを特徴とする請求項４に記載の無線インターネットによるキッチン機器の制御システム。
【請求項６】
前記処理手段は、前記インターネットデバイスから伝送された設定値及び各前記キッチン機器の状態を判断して制御信号を生成するために用いられることを特徴とする請求項４に記載の無線インターネットによるキッチン機器の制御システム。
【請求項７】
前記制御信号は、前記信号送信手段を通じて各前記キッチン機器に伝送することを特徴とする請求項６に記載の無線インターネットによるキッチン機器の制御システム。
【手続補正２】
【補正対象書類名】明細書
【補正対象項目名】００１１
【補正方法】変更
【補正の内容】
【００１１】
図３を参照すると、本考案に係る無線インターネットによるキッチン機器の制御システム使用構成を示す模式図である。図３に示すように、利用者は、制御装置３１（例：携帯電話ＡＰＰ、ウェブページブラウザ）を通じてキッチン機器３２の関連制御（例：ガスコンロ、空調、環境感知）を行う時、該設定信号が制御装置３１を通じて該設定値（例：キッチン機器のオンオフ、照明の調整、温度の調整）を該制御装置３１で設定し、該設定値がクラウドのプロセッサ３３によって処理し、該設定値と該キッチン機器上のセンサーから伝送されたキッチン機器の状態値はプロセッサ３３を通じて処理演算を行った後、各該キッチン機器３２の作動を駆動する制御信号を生成し、そして該制御信号を各該キッチン機器３２に伝送して各該キッチン機器３２を駆動して対応する動作を起こす。